(57)【要約】【課題】ラックの支柱に対する梁材の外れ止めとなる抜け止め板を薄板から製造できるようにする。【解決手段】支柱３の凹溝部１１には、右側梁材係止孔部１２ａと左側梁材係止孔部１２ｂとが支柱長さ方向適当間隔おきに設けられ、梁材６の端の係止板１５には、上下複数の係止孔部１２ａ又は１２ｂに対し嵌脱自在で且つ当該係止板１５の下動により係止孔部１２ａ，１２ｂの下方内側に係合する上下複数の係止爪２０が設けられ、抜け止め板２１は、係止板１５の上側に位置する右側梁材係止孔部１２ａに挿入される右側係止板部２２と、左側梁材係止孔部１２ｂに挿入される左側係止板部２３と、これら両係止板部２２，２３を外側突出部２５において連結一体化する連結板部２４とから構成する。【選択図】図６
2007159948.tif 000002
【特許請求の範囲】
【請求項１】
ラックの支柱と梁材との連結構造であって、支柱の前側板部には、右側梁材係止孔部と左側梁材係止孔部とが支柱長さ方向適当間隔おきに設けられ、梁材の端に付設された係止板には、上下複数の前記右側梁材係止孔部又は左側梁材係止孔部に対し嵌脱自在で且つ当該係止板の下動により前記係止孔部の下方内側に係合する上下複数の係止爪が設けられ、この係止板の上側に位置する前記右側梁材係止孔部又は左側梁材係止孔部に対して係脱自在で当該係止孔部から外側に突出する外側突出部で前記係止板の上動を阻止する抜け止め板が設けられたラックの支柱と梁材との連結構造において、前記抜け止め板が、前記右側梁材係止孔部に挿入される右側係止板部、左側梁材係止孔部に挿入される左側係止板部、及びこれら両係止板部をその外側突出部において連結一体化する連結板部から構成されている、ラックの支柱と梁材との連結構造。
【請求項２】
前記抜け止め板は、板材を平面コ字形に曲げ加工して構成されたもので、互いに平行な板部の一方が右側係止板部、他方が左側係止板部、両者をつなぐ直角板部が前記連結板部となっている、請求項１に記載のラックの支柱と梁材との連結構造。
【請求項３】
前記支柱の前側板部には、その巾方向中央部に支柱長さ方向に沿って角形凹溝部が形成され、この凹溝部の底板部に前記右側梁材係止孔部と左側梁材係止孔部とが設けられ、前記凹溝部が、支柱の左右両側の梁材の係止板を並列状態で係止させたときに両係止板間に当該係止板の板厚以下の隙間しか生じない小巾のものである構成において、前記右側梁材係止孔部と左側梁材係止孔部とは、凹溝部の左右両側板部間の内巾一杯に形成された１つの係止孔で兼用されている、請求項１又は２に記載のラックの支柱と梁材との連結構造。
【請求項４】
前記支柱の前側板部には、その巾方向中央部に支柱長さ方向に沿って角形凹溝部が形成され、この凹溝部の底板部に前記右側梁材係止孔部と左側梁材係止孔部とが設けられ、前記凹溝部が、支柱の左右両側の梁材の係止板を並列状態で係止させたときに両係止板間に当該係止板の板厚以上の空間が生じる巾広のものである構成において、前記右側梁材係止孔部と左側梁材係止孔部とは、凹溝部の左右両側板部それぞれに隣接するように各別に設けられている、請求項１又は２に記載のラックの支柱と梁材との連結構造。
【発明の詳細な説明】
【技術分野】
【０００１】
本発明は、支柱間に架設した前後２本の梁材で荷を支持する構造のラックなどにおいて採用できる、支柱と梁材との連結構造に関するものである。
【背景技術】
【０００２】
前後の支柱を斜め連結材で連結して構成された区画用垂直フレームを適当間隔おきに立設し、各区画用垂直フレームの前側支柱間及び後側支柱間に水平の梁材を架設し、この前後の梁材間に桟材を架設して荷支持用水平フレームを構成して成るラックが知られている。そしてこの種のラックにおける支柱と梁材との連結構造として、支柱の前側板部には、支柱長さ方向適当間隔おきに係止孔を設け、梁材の端に付設された係止板には、上下複数の前記係止孔に対し嵌脱自在で且つ当該係止板の下動により前記係止孔の下方内側に係合する上下複数の係止爪を設け、この係止板の上側に位置する前記係止孔に対して係脱自在で当該係止孔から外側に突出する外側突出部で前記係止板の上動を阻止する抜け止め板を設けた構成が、例えば特許文献１などによって知られている。
【特許文献１】特開２００２−５１８４６号公報
【発明の開示】
【発明が解決しようとする課題】
【０００３】
特許文献１などによって知られているラックの支柱と梁材との連結構造では、梁材の端に取り付けられる係止板は、必要な強度の確保のために板厚の十分な鉄板の裁断と曲げ加工により構成されるもので、高い寸法精度が確保し難いこともあって、支柱側に設けられる係止孔は、板厚の厚い係止版の板厚よりも更に十分広い巾に構成される。一方、このラックに対するフォークリフトなどによる荷の搬出作業時に、フォーキング操作のミスにより、搬出する荷を介して上段の荷支持用水平フレームに対し押し上げと共に外側に引き出すような不当な外力を与えてしまう場合がある。このような荷支持用水平フレームに作用する不当な外力は、荷搬出側の梁材の端の係止板を支柱側から取り外すときの操作力と同一に働くので、当該係止板（荷搬出側の梁材）の係止爪の一部（主として最下段の係止爪など）が支柱側の係止孔から外れてしまう恐れがある。
【０００４】
上記の問題点を解消するために前記抜け止め板が併用されているのであるが、当該抜け止め板は、係止板の最初の上動を制止することができれば良いので、係止板に比較して薄板から成るものであっても十分に所期の目的を達成することができるのであるが、実際には、上記の理由で巾広に形成されている係止孔に係合させるものであるから、この係止孔内で抜け止め板が倒れて機能しなくなるのを避けるために、少なくとも係止板と同程度の板厚の鉄板から構成する必要があった。このため、抜け止め板に係るコストが高くつく結果となっていた。
【課題を解決するための手段】
【０００５】
本発明は上記のような従来の問題点を解消し得るラックの支柱と梁材との連結構造を提供することを目的とするものであって、その手段を後述する実施形態の参照符号を付して示すと、ラックの支柱３と梁材６との連結構造であって、支柱３の前側板部９には、右側梁材係止孔部１２ａ，２８と左側梁材係止孔部１２ｂ，２９とが支柱長さ方向適当間隔おきに設けられ、梁材６の端に付設された係止板１５には、上下複数の前記右側梁材係止孔部１２ａ，２８又は左側梁材係止孔部１２ｂ，２９に対し嵌脱自在で且つ当該係止板１５の下動により前記係止孔部１２ａ，２８，１２ｂ，２９の下方内側に係合する上下複数の係止爪２０が設けられ、この係止板１５の上側に位置する前記右側梁材係止孔部１２ａ，２８又は左側梁材係止孔部１２ｂ，２９に対して係脱自在で当該係止孔部１２ａ，２８，１２ｂ，２９から外側に突出する外側突出部２５で前記係止板１５の上動を阻止する抜け止め板２１が設けられたラックの支柱３と梁材６との連結構造において、前記抜け止め板２１が、前記右側梁材係止孔部１２ａ，２８に挿入される右側係止板部２２、左側梁材係止孔部１２ｂ，２９に挿入される左側係止板部２３、及びこれら両係止板部２２，２３を外側突出部２５において連結一体化する連結板部２４から成る構成となっている。
【０００６】
上記構成の本発明を実施するについて、具体的には請求項２に記載のように、前記抜け止め板２１は、互いに平行な板部の一方が右側係止板部２２、他方が左側係止板部２３、両者をつなぐ直角板部が前記連結板部２４となるように、板材を平面コ字形に曲げ加工して構成することができる。
【０００７】
又、前記支柱３の前側板部９には、その巾方向中央部に支柱長さ方向に沿って角形凹溝部１１が形成され、この凹溝部１１の底板部１１ａに前記右側梁材係止孔部１２ａと左側梁材係止孔部１２ｂとが設けられ、支柱巾が狭いために、前記凹溝部１１が、支柱３の左右両側の梁材６の係止板１５を並列状態で係止させたときに両係止板１５間に当該係止板１５の板厚以下の隙間しか生じない小巾のものとなる構成においては、請求項３に記載のように、前記右側梁材係止孔部１２ａと左側梁材係止孔部１２ｂとは、凹溝部１１の左右両側板部１１ｂ間の内巾一杯に形成された１つの係止孔１２で兼用させることができる。
【０００８】
又、前記支柱３の前側板部９には、その巾方向中央部に支柱長さ方向に沿って角形凹溝部１１が形成され、この凹溝部１１の底板部１１ａに前記右側梁材係止孔部１２ａと左側梁材係止孔部１２ｂとが設けられ、支柱巾が広いために、前記凹溝部１１が、支柱３の左右両側の梁材６の係止板１５を並列状態で係止させたときに両係止板１５間に当該係止板１５の板厚以上の空間が生じる巾広のものとなる構成においては、請求項４に記載のように、前記右側梁材係止孔部２８と左側梁材係止孔部２９とは、凹溝部１１の左右両側板部１１ｂそれぞれに隣接するように各別に設けることができる。
【発明の効果】
【０００９】
上記構成の本発明に係るラックの支柱と梁材との連結構造によれば、梁材の端の係止板の上下複数の係止爪を支柱側の上下複数の右側梁材係止孔部又は左側梁材係止孔部内に嵌入させ、係止板の下動により各係止爪を各係止孔部の下方内側に係合させ、その後、係止板の直上位置にある前記係止孔部に抜け止め板を挿入係止することにより、係止板の上動を当該抜け止め板の外側突出部で阻止させることができるのであるが、本発明の構成では前記抜け止め板が、支柱側の右側梁材係止孔部に挿入される右側係止板部と左側梁材係止孔部に挿入される左側係止板部の両方を並列状態で備えたものであるから、左右各係止板部自体が係止板の板厚と比較して十分に薄い薄板で構成されていたとしても、抜け止め板全体としては右側梁材係止孔部と左側梁材係止孔部との間の間隔と等しい巾広のものとなり、係止孔部に挿入係止された状態で倒れが生じる恐れは皆無であり、左右各係止板部を確実に垂直姿勢に保持させることができる。
【００１０】
又、通常この種のラックでは、支柱の左右両側に荷支持用水平フレームを構成する梁材を架設する場合、当該左右両側の梁材は基本的に同一レベルで架設するのであるが、この場合、並列する右側梁材係止孔部と左側梁材係止孔部とを利用して１本の支柱に同一レベルで左右両梁材端部の係止板を嵌合係止し、両係止板の直上位置でそれぞれ抜け止め板を右側梁材係止孔部と左側梁材係止孔部とに挿入係止させなければならないが、本発明の構成では、１つの抜け止め板の挿入係止操作を行うだけで、左右両梁材端部の係止板に対する抜け止めを完了することができ、作業を能率良く行えるばかりでなく、必要な抜け止め板の数量も大巾に少なくなり、部品の管理なども容易になる。
【００１１】
換言すれば、本発明における抜け止め板は、その左右両係止板部の何れか一方のみが抜け止めに寄与し、他方は単なる倒れ防止のためのものではなく、その両方の係止板部を従来の個々の抜け止め板と同様に機能させることができるので、結果的に抜け止め板を薄板から構成して全体としてコストダウンを図りながら、当該抜け止め板による係止板の上動阻止機能を確実に発揮させ、荷搬出時のフォーキング操作のミスにより荷搬出側の梁材に押し上げ力を作用させてしまっても、係止板の係止爪の一部（主として最下段の係止爪など）が支柱側の係止孔から外れてしまう危険な事態を回避でき、安全性を高めることができると共に、上記のように作業性などの改善にも役立つに至ったのである。
【００１２】
又、請求項２に記載の構成によれば、２枚の左右両係止板部を別部材で連結一体化して抜け止め板を構成する場合と比較して、従来の２枚の抜け止め板に相当する１つの抜け止め板を薄板から簡単容易且つ軽量安価に構成することができる。
【００１３】
尚、前記支柱の前側板部に、その巾方向中央部に支柱長さ方向に沿って角形凹溝部が形成され、この凹溝部の底板部に前記右側梁材係止孔部と左側梁材係止孔部とが設けられる場合で、支柱巾が狭いために前記凹溝部が小巾になる場合や、逆に支柱巾が広いために前記凹溝部が十分に巾広に形成される場合には、請求項３や４に記載の構成を採用すれば良い。
【発明を実施するための最良の形態】
【００１４】
以下に本発明の具体的実施例を添付図に基づいて説明すると、ラックの一部分を示す図１において、１は区画用垂直フレームであって、適当間隔おきに立設される多数の区画用垂直フレームの内、隣り合う２つの区画用垂直フレーム１が示されている。２は荷支持用水平フレームであって、隣り合う各区画用垂直フレーム１間に上下複数段に架設される荷支持用水平フレームの内、隣り合う２つの区画用垂直フレーム１間に架設された上下２段の荷支持用水平フレーム２の全体が示されている。
【００１５】
各区画用垂直フレーム１は、前側支柱３と後側支柱４、及び前後両支柱３，４どうしを連結一体化する斜め連結材５から構成されたラチス構造のものである。荷支持用水平フレーム２は、前側梁材６と後側梁材７、及び前後両梁材６，７間で当該梁材６，７の長さ方向適当間隔おきに架設された前後方向の桟材８から構成された梯子構造のものである。
【００１６】
支柱３，４は同一構造のものを前後対称に配置したもので、各支柱３，４は、図３〜図６に示すように、前側板部９と左右両横側板部１０とから成る横断面略コ字形中空状のもので、前側板部９は、その左右巾方向の中央位置に角形凹溝部１１がこの支柱を構成する板材の曲げ加工により一体に形成されることにより、当該凹溝部１１を間にして左右２列の角形突出部９ａ，９ｂが形成され、左右両横側板部１０には、前後巾方向の中央位置の段部１０ａを介して後側辺側に内寄り側板部１０ｂが形成され、この内寄り側板部１０ｂ間で前記斜め連結材５の端部が挟持されてボルトナットとやリベットなどで結合される。又、この実施形態の支柱３，４は巾の狭いもので、前記凹溝部１１の底板部１１ａには、当該凹溝部１１の左右両側板部１１ｂ間の全巾と同一巾の係止孔１２が支柱長さ方向等間隔おきに設けられており、各係止孔１２の右半分が右側梁材係止孔部１２ａ、左半分が左側梁材係止孔部１２ｂとなっている（図６Ａ参照）。
【００１７】
各梁材６，７はその両端に係止板１５を備えたもので、この係止板１５を含めて両梁材６，７は同一構造のものを前後対称に配置したものである。梁材６，７は、板材を略縦長矩形筒状に曲げ加工して構成したもので、その桟材８の端部係止位置には、上側板部１６から後側板部１７にわたってＬ形に桟材係止用スリット１８が設けられている。係止板１５は、図２〜図４に示すように、梁材６，７の端部に溶接などで固着された基板部１９ａと、この基板部１９ａの前端から曲げ加工されて一体に形成された平面コ字形の嵌合部１９ｂとを備えている。この嵌合部１９ｂの内巾は、支柱３，４の前側板部９における角形突出部９ａ，９ｂの巾より若干大きいもので、その垂直な遊側辺（基板部１９ａと平行な外側板部１９ｃの垂直な遊側辺）には、上下方向４つの係止爪２０が一体に形成突設されている。これら各係止爪２０は、図６Ｂに示すように、支柱３，４側の係止孔１２の上下間隔と等しい上下間隔で下向きに延出するように突設されたもので、任意の高さにある支柱３，４側の連続する４つの係止孔１２に同時に差込みながら下動させることにより、各係止爪２０を支柱３，４側の４つの係止孔１２の下方内側に係合させることができる形状に構成されている。又、この係止板１５を構成する板材の板厚は、図４及び図６Ｂに示すように、支柱３，４側の凹溝部１１の内巾の半分より若干小さい。
【００１８】
図５〜図８において、２１は抜け止め板である。この抜け止め板２１は、板材を平面コ字形に曲げ加工して構成したもので、互いに平行に並列する右側係止板部２２と左側係止板部２３、及び両係止板部２２，２３の外側辺どうしを連結する直角向きの連結板部２４を備えている。又、左右両係止板部２２，２３は、支柱３，４側の凹溝部１１内に丁度嵌合させ得る程度の間隔で並列し、右側係止板部２２を係止孔１２の右側梁材係止孔部１２ａに、左側係止板部２３を係止孔１２の左側梁材係止孔部１２ｂに、同時に挿入できるものである。而して各係止板部２２，２３は、使用状態において係止孔１２から外側に突出する外側突出部２５と、係止孔１２から支柱３，４の内側に入り込み且つ下方に垂下する、外側突出部２５より大きて大重量の内側垂下部２６とから成り、外側突出部２５の基部（内側垂下部２６に隣接する箇所）には、係止孔１２の上辺より上方に突出する上側突出部２５ａと、係止孔１２の下辺より下方に延出する下側延出部２５ｂとが設けられ、内側垂下部２６は、その基部（外側突出部２４に隣接する箇所）が係止孔１２の高さより若干低い高さを有し、この内側垂下部２６の基部が係止孔１２内に垂直姿勢で嵌合した状態では、この抜け止め板２１の上下遊動が許容範囲内に抑えられるように構成されている。
【００１９】
又、内側垂下部２６は、図８Ａに仮想線で示すように、係止孔１２に内側垂下部２６を斜め下向きに挿入した後、外側突出部２５の下端付近を支点に抜け止め板２１の全体を、内側垂下部２６が係止孔１２から下方に進入する方向に回転させ、外側突出部２５の上側突出部２５ａを係止孔１２の上側で凹溝部１１の底板部ａの表面に当接させると共に内側垂下部２６を係止孔１２の下方で凹溝部１１の底板部１１ａの裏面に当接させることができる形状に構成されている。
【００２０】
上記構成のラックの組立方法について説明すると、図１に示すように、区画用垂直フレーム１を荷支持用水平フレーム２の梁材６，７の長さに対応した間隔おきに立設し、隣り合う２つの区画用垂直フレーム１間に任意の荷支持レベルで荷支持用水平フレーム２を架設する。この場合、区画用垂直フレーム１を間にしてラック長さ方向に隣り合う荷支持用水平フレーム２は原則として同一レベルに架設する。各荷支持用水平フレーム２の架設は、前側梁材６を左右両側の区画用垂直フレーム１の前側支柱３間に架設すると共に、後側梁材７を前側支柱３と同一レベルで左右両側の区画用垂直フレーム１の後側支柱４間に架設し、最後に桟材８を前後の梁材６，７間に、その両端の係止爪を前後の梁材６，７の桟材係止用スリット１８に上から落とし込むように係合させて架設することにより行われる。
【００２１】
上記の梁材６，７を左右両側の支柱３間及び支柱４間に架設する方法について説明すると、梁材６，７の端の係止板１５を、その嵌合部１９ｂを支柱３，４の前側板部９における片側（基板部１９ａが支柱３，４の横側板部１０に当接する側）の角形突出部９ａ（又は９ｂ）に外嵌させて各段係止爪２０を支柱３，４側の係止孔１２の右側梁材係止孔部１２ａ（又は左側梁材係止孔部１２ｂ）に挿入させながら下動させることにより、各段係止爪２０を支柱３，４側の係止孔１２の下方内側にそれぞれ係合させる。この状態では、係止板１５の嵌合部１９ｂが支柱３，４の前側板部９における片側の角形突出部９ａ（又は９ｂ）に外嵌していることにより、支柱３，４に対する梁材６，７の左右水平方向の位置が決まると共に、係止板１５の各段係止爪２０の基部が支柱３，４側の係止孔１２の下辺に受け止められていることにより、支柱３，４に対する当該梁材６，７の上下方向の位置が決まり、そして係止板１５の各段係止爪２０の基部と係止板１５の嵌合部１９ｂにおける外側板部１９ｃとの間で支柱３，４側の凹溝部１１の底板部１１ａを挟んでいることにより、支柱３，４に対する当該梁材６，７の前後方向の位置が決まることになるが、係止板１５を支柱３，４に対して上動させながら嵌合部１９ｂを支柱３，４側の角形突出部９ａ（又は９ｂ）から離間させるように、組立時とは逆の操作をすることにより、梁材６，７を支柱３，４から取り外すことができる。
【００２２】
ラック長さ方向の両端の区画用垂直フレーム１を除く中間位置の区画用垂直フレーム１に対しては、先に説明したように原則として当該区画用垂直フレーム１の左右両側に同一レベルで荷支持用水平フレーム２が架設されるので、図４及び図５に示すように、中間位置の区画用垂直フレーム１の支柱３，４に対しては、その左右両側に同一レベルで係止板１５が隣接並列状態で係止されることになる。従って、この隣接並列状態の左右両係止板１５は、その嵌合部１９ｂの互いに隣接する外側板部１９ｃが支柱３，４側の凹溝部１１内で隣接している。
【００２３】
以上のように区画用垂直フレーム１間に荷支持用水平フレーム２を架設したならば、最後に抜け止め板２１を組み付ける。即ち、支柱３，４に嵌合係止させた係止板１５の直上に位置する空きの係止孔１２に、抜け止め板２１における左右両係止板部２２，２３の内側垂下部２６を同時に斜め下向きに挿入した後、外側突出部２５の下端付近（下側延出部２５ｂの下端付近）を支点に抜け止め板２１の全体を、内側垂下部２６が係止孔１２から下方に進入する方向に回転させ、左右両係止板部２２，２３の外側突出部２５の上側突出部２５ａを係止孔１２の上側で凹溝部１１の底板部ａの表面に当接させると共に内側垂下部２６を凹溝部１１の底板部１１ａの裏面に当接させる。このようにセットされた抜け止め板２１は、左右両係止板部２２，２３の外側突出部２５よりも内側垂下部２６が大きくて大重量であるから、重力でセット状態に保持されることになり、セット時とは逆操作で抜き取らない限り、不測に脱落することは無い。
【００２４】
上記のように支柱３，４にセットされた抜け止め板２１の左右両係止板部２２，２３は、その外側突出部２５の下側延出部２５ｂが直下の係止板１５の嵌合部１９ｂにおける外側板部１９ｃの上端に小間隙を隔てて対面しており、そして内側垂下部２６の基部の上辺と係止孔１２の上辺（左右両梁材係止孔部１２ａ，１２ｂの上辺）との当接により抜け止め板２１全体の上動が阻止されると共に、外側突出部２５の上側突出部２５ａと凹溝部１１の底板部ａの表面との当接及び内側垂下部２６と凹溝部１１の底板部１１ａの裏面との当接により、外側突出部２５が上動する方向に回動することも阻止されている。従って、下段の荷支持用水平フレーム２に支持された荷をフォークリフトなどで搬出するときのフォーキング操作のミスによって、その搬出する荷で上段の荷支持用水平フレーム２の荷搬出側の梁材６（又は７）を押し上げてしまうような事態が生じても、図８Ｂに仮想線で示すように、支柱３（又は４）に対する係止板１５の上動がその直上に位置する抜け止め板２１の左右両係止板部２２，２３によって確実に許容範囲内に抑えられるので、荷搬出側の梁材６（又は７）の不当な浮き上がりを確実に防止できる。
【００２５】
尚、ラック長さ方向の両端に位置する支柱３，４（区画用垂直フレーム１）に対しては片側にのみ梁材６，７（荷支持用水平フレーム２）の係止板１５が係止されるので、当該係止板１５の直上位置に上記の抜け止め板２１を挿入係止したときは、その左右両係止板部２２，２３の内、直下に係止板１５が存在する側の係止板部２２又は２３のみが抜け止めとして働き、他方の係止板部２３又は２２は遊んでいることになる。又、区画用垂直フレーム１の左右両側に同一レベルで荷支持用水平フレーム２を架設する場合について説明したが、１つの支柱３，４に対して左右両側の梁材６，７を、下側になる梁材の係止板１５の直上位置にセットされる抜け止め板２１が上側になる梁材の係止板１５と干渉しない程度に段差をつけて架設する場合は、各係止板１５に対して上記の抜け止め板２１を使用して抜け止めを図ることができる。
【００２６】
尚、上記実施形態では、巾の狭い支柱３，４が使用される場合の構造を示している。この支柱３，４の凹溝部１１は、図１に示すように、１つの支柱３，４にその両側の梁材６，７の端の係止板１５を同一レベルで係止させたとき、並列する両係止板１５間に当該係止板１５の板厚以下の隙間しか生じない小巾のものとなるが、図９Ａ，Ｂに示すように、巾の広い支柱２７の場合、凹溝部１１は、１つの支柱２７にその両側の梁材６，７の端の係止板１５を同一レベルで係止させたとき、並列する両係止板１５間に当該係止板１５の板厚以上の空間が生じる巾広のものとなる。換言すれば、このような巾広の支柱２７においても同一の係止板１５が使用できるように、凹溝部１１の左右両側の角形突出部９ａ，９ｂの巾を変えないで当該凹溝部１１の巾を広くすることになる。このような巾広の支柱２７の場合には、係止板１５側の係止爪２０を係合させる係止孔を凹溝部１１の底板部１１ａの巾一杯に設けることによって支柱の強度が低下するのを避けるために、当該凹溝部１１の左右両側板部１１ｂのそれぞれに隣接して独立的に設けられた右側梁材係止孔部２８と左側梁材係止孔部２９とで係止孔１２を構成するのが望ましい。従って、抜け止め板２１も、その左右両係止板部２２，２３間の間隔が広くなり、連結板部２４が巾広になる。
【００２７】
又、上記実施形態では、係止板１５側の係止爪２０を上下方向等間隔で４つ設けたが、支柱側に支柱長さ方向等間隔おきに設けられた係止孔１２の単位間隔と同一間隔又は当該単位間隔の整数倍の間隔で少なくとも２つの係止爪２０が設けられていれば良い。更に、上記実施形態では、特許文献１に記載された従来構成において使用されている抜け止め板（抜止部材）とは形状の異なる本発明独特の係止板部２２，２３を抜け止め板２１に設けたが、本発明は、特許文献１に記載されたような従来周知の抜け止め板（抜止部材）と同様の形状の係止板部を採用することも可能である。
【図面の簡単な説明】
【００２８】
【図１】ラックの一部分を示す斜視図である。
【図２】梁材端部の係止板を示す斜視図である。
【図３】支柱の横断平面図と、当該支柱の両側に架設される２つの梁材の端部を示す平面図である。
【図４】支柱の両側に同一レベルで梁材の係止板を係止した状態を示す要部の横断平面図である。
【図５】支柱の両側に同一レベルで梁材の係止板を係止した状態を示す要部の正面図である。
【図６】Ａ図は図５の要部の一部切欠き拡大図、Ｂ図はＡ図の中央縦断側面図である。
【図７】抜け止め板の斜視図である。
【図８】Ａ図は抜け止め板のセット方法を説明する要部の縦断側面図、Ｂ図は抜け止め板の抜け止め作用を説明する要部の縦断側面図である。
【図９】Ａ図は巾広支柱を示す横断平面図、Ｂ図は同巾広支柱を採用した本発明実施形態を示す要部の正面図である。
【符号の説明】
【００２９】
１    区画用垂直フレーム
２    荷支持用水平フレーム
３，４，２４    支柱
５    斜め連結材
６，７    梁材
８    桟材
９    支柱の前側板部
１０    支柱の左右両横側板部
１１    凹溝部
１１ａ    凹溝部の底板部
１１ｂ    凹溝部の左右両側板部
１２    係止孔
１２ａ，２８    係止孔の右側梁材係止孔部
１２ｂ，２９    係止孔の左側梁材係止孔部
１５    係止板
１９ａ    係止板の基板部
１９ｂ    係止板の嵌合部
１９ｃ    係止板の外側板部
２０    係止爪
２１    抜け止め板
２２    抜け止め板の右側係止板部
２３    抜け止め板の左側係止板部
２４    抜け止め板の連結板部
２５    各係止板部の外側突出部
２５ａ    抜け止め板外側突出部の上側突出部
２５ｂ    抜け止め板外側突出部の下側延出部
２６    各係止板部の内側垂下部
２７    巾広支柱
【図１】
2007159948.tif 000003
【図２】
2007159948.tif 000004
【図３】
2007159948.tif 000005
【図４】
2007159948.tif 000006
【図５】
2007159948.tif 000007
【図６】
2007159948.tif 000008
【図７】
2007159948.tif 000009
【図８】
2007159948.tif 000010
【図９】
2007159948.tif 000011